(57)【要約】【課題】安価かつ簡単な構成で、しかも何らの調整をすることなく、臨場感を向上させた映像音声出力装置を提供する。【解決手段】開示される映像音声出力装置１は、映像を表示可能な表示部２と、表示部２の左右にそれぞれ設けられ、中高音域の音響を表示部２の前面に対して鋭角的な角度で放射して互いに合成する一対の中高音域用スピーカと、表示部２の左右にそれぞれ設けられ、中低音域の音響を表示部２の前面に対して略直角に視聴者側に放射する一対の中低音域用スピーカとを備えている。【選択図】図１
2009290442.tif 000002
【特許請求の範囲】
【請求項１】
映像を表示可能な表示部と、
前記表示部の左右にそれぞれ設けられ、人の声の一部の周波数帯域を含む第１の音響を前記表示部の前面に対して鋭角的な角度で放射して互いに合成する一対の第１のスピーカと、
前記表示部の左右にそれぞれ設けられ、前記人の声の一部を周波数帯域を含まない第２の音響を前記表示部の前面に対して略直角に視聴者側に放射する一対の第２のスピーカと
を備えていることを特徴とする映像音声出力装置。
【請求項２】
前記表示部に表示される映像の種類に応じて、前記一対の第１のスピーカからそれぞれ放射される前記第１の音響の音量を調整可能に構成されていることを特徴とする請求項１に記載の映像音声出力装置。
【請求項３】
前記第１のスピーカの角度が変更可能に構成されていることを特徴とする請求項１又は２に記載の映像音声出力装置。
【発明の詳細な説明】
【技術分野】
【０００１】
本発明は、映像と音声が出力可能なテレビジョン受信機やスピーカ一体型表示装置等の映像音声出力装置に関する。
【背景技術】
【０００２】
従来の映像音声出力装置には、ステレオ型ディスプレイ用スピーカを外装体の前面側に、画像用表示モジュールを後面側にそれぞれ密着して形成したものがある。上記ステレオ型ディスプレイ用スピーカは、複数チャンネルそれぞれに対応するエキサイタを分散して装備する複数の振動板を備えている。そして、上記振動板のうち、１つの振動板に装備されるエキサイタは、残りのチャンネルの音源を合成したセンターチャンネル用である（例えば、特許文献１参照。）。以下、この技術を第１の従来例と呼ぶ。
【０００３】
また、従来の映像音声出力装置には、映像が表示可能なディスプレイと、このディスプレイの左右に一対設けられ、鉛直方向に設けられた回転軸を中心として音声の放射角が変更可能な、ハニカムコア構造の振動板を有する平板状のスピーカとからなるものもある（例えば、特許文献２参照。）。以下、この技術を第２の従来例と呼ぶ。
【０００４】
【特許文献１】特開２００７−２６７３０２号公報（請求項１，請求項２，請求項８，［００１１］，［００１９］，［００２５］〜［００３７］、図１〜図５）
【特許文献２】特開２００７−２５１４２１号公報（請求項１，［０００９］，［００１２］〜［００４２］、図１〜図４）
【発明の開示】
【発明が解決しようとする課題】
【０００５】
上記した第１の従来例では、センターチャンネル用のエキサイタ及びこのエキサイタが装備される振動板が必要であり、装置が高価になるという問題があった。一方、上記した第２の従来例では、視聴者は、スピーカから放射される音声の放射角度を視聴する内容等により、その都度所望の角度に変更する必要があり、煩わしいという問題があった。また、映像音声出力装置を構成するスピーカから放射された音声は、直接視聴者の耳に届くものの他、映像音声出力装置が設置された部屋の壁等によって反射された後に、視聴者の耳に届くものがある。したがって、上記した第２の従来例に係る映像音声出力装置で映像及び音声を視聴する場合、一般的な視聴者は、自己にとって最適な音声の放射角度を設定することは困難であるという問題があった。
【０００６】
本発明は、上述した事情に鑑みてなされたものであり、上述のような問題を解決することを課題の一例とするものであり、これらの課題を解決することができる映像音声出力装置を提供することを目的とする。
【課題を解決するための手段】
【０００７】
上記課題を解決するために、請求項１記載の発明に係る映像音声出力装置は、映像を表示可能な表示部と、前記表示部の左右にそれぞれ設けられ、人の声の一部の周波数帯域を含む第１の音響を前記表示部の前面に対して鋭角的な角度で放射して互いに合成する一対の第１のスピーカと、前記表示部の左右にそれぞれ設けられ、前記人の声の一部を周波数帯域を含まない第２の音響を前記表示部の前面に対して略直角に視聴者側に放射する一対の第２のスピーカとを備えていることを特徴としている。
【発明を実施するための最良の形態】
【０００８】
以下、図面を参照して本発明を実施するための最良の形態について説明する。
実施の形態１．
図１は、本発明の実施の形態１に係る映像音声出力装置１の外観構成を示す概略斜視図である。図２（ａ）は図１に示す映像音声出力装置１の外観構成を示す平面図、図２（ｂ）は図１に示す映像音声出力装置１の外観構成を示す正面図である。また、図３は図２（ａ）のＡの部分の拡大斜視図、図４は図３の透視斜視図である。さらに、図５は、図１に示す映像音声出力装置１の構成を示す透視正面図である。
【０００９】
本実施の形態１に係る映像音声出力装置１は、表示部２、左チャンネルスピーカ部３及び右チャンネルスピーカ部４が筐体５内に収容されて概略構成されている。表示部２は、例えば、液晶パネル、プラズマディスプレイパネル、又はエレクトロルミネセンス（ＥＬ：electroluminescence）パネル、ＣＲＴディスプレイ、あるいはプロジェクタ等を有している。図１〜図５の例では、表示部２は、液晶パネルやプラズマディスプレイパネル等の平面型ディスプレイを有している。
【００１０】
表示部２は、筐体５の主収容部５ａに収容されている。筐体５は、平面形状が略コ字状を呈している。すなわち、筐体５は、上記主収容部５ａと、この主収容部５ａの両端から前面側（視聴者側）に突出した突出部５ｂ及び５ｃとが一体的に形成されて構成されている。突出部５ｂ及び５ｃは、いずれも、主収容部５ａに対向した側面が主収容部５ａの前面側に張り出した張出部５ｂａ及び５ｃａが一体的に形成されている。筐体５の材料としては、例えば、ポリプロピレンなどのオレフィン系、ＡＢＳ（アクリロニトリル・ブダジエン・スチレン）、ポリエチレンテレフタレート系などの熱可塑性樹脂に、補強用フィラーとしてガラス繊維又はフィブリル化したサーモトロピック液晶ポリエステル樹脂を添加してなるものなどがある。
【００１１】
左チャンネルスピーカ部３及び右チャンネルスピーカ部４は、図５の例では、それぞれ２個のスピーカユニット３ａ及び３ｂ並びに４ａ及び４ｂから構成されている。図６はスピーカユニット３ａ及び３ｂの概略構成を示す透視斜視図、図７はスピーカユニット４ａ及び４ｂの概略構成を示す透視斜視図である。
【００１２】
スピーカユニット３ａ及び３ｂは、中高音域用スピーカ１１と、中低音域用スピーカ１２と、キャビネット１３とから構成されている。スピーカユニット３ａ及び３ｂは、２ウェイ方式であり、分割周波数は約１．６ｋＨｚである。したがって、可聴域が約２０Ｈｚ〜約２０ｋＨｚであるから、中低音域は約２０Ｈｚ〜約１．６ｋＨｚ、中高音域は約１．６ｋＨｚ〜約２０ｋＨｚとなる。このため、中高音域用スピーカ１１からは１．６ｋＨｚ〜約２０ｋＨｚの周波数帯域の音響が放射され、中低音域用スピーカ１２からは約１．６ｋＨｚ〜約２０ｋＨｚの音響が放射される。
【００１３】
キャビネット１３は、略立方体形状を呈しており、側面１３ａの略中央に貫通孔１３ａａが穿設されて中低音域用スピーカ１２が取り付けられているとともに、側面１３ａに隣接する側面１３ｂの略中央に貫通孔１３ｂａが穿設されて中高音域用スピーカ１１が取り付けられている。すなわち、スピーカユニット３ａ及び３ｂでは、いずれも、中低音域用スピーカ１２の音響放射方向と、中高音域用スピーカ１１の音響放射方向とは略直交している。後述するスピーカユニット４ａ及び４ｂについても同様である。スピーカユニット３ａは、側面１３ａを前面側（視聴者側）に向けて突出した突出部５ｂの上端近傍に収容されている。一方、スピーカユニット３ｂは、側面１３ａを前面側（視聴者側）に向けて突出した突出部５ｂの下端近傍に収容されている。
【００１４】
これに対し、スピーカユニット４ａ及び４ｂは、上記中高音域用スピーカ１１と、上記中低音域用スピーカ１２と、キャビネット１４とから構成されている。スピーカユニット４ａ及び４ｂは、上記したスピーカユニット３ａ及び３ｂと同様、２ウェイ方式である。
【００１５】
キャビネット１４は、略立方体形状を呈しており、側面１４ａの略中央に貫通孔１４ａａが穿設されて中低音域用スピーカ１２が取り付けられているとともに、側面１４ａに隣接する側面１４ｂの略中央に貫通孔１４ｂａが穿設されて中高音域用スピーカ１１が取り付けられている。スピーカユニット４ａは、側面１４ａを前面側（視聴者側）に向けて突出した突出部５ｃの上端近傍に収容されている。一方、スピーカユニット４ｂは、側面１４ａを前面側（視聴者側）に向けて突出した突出部５ｃの下端近傍に収容されている。
【００１６】
次に、映像音声出力装置１がテレビジョン受信機で構成される場合の電気的構成について図８を参照して説明する。本実施の形態１に係る映像音声出力装置１は、デジタル放送の各チャンネルを受信するものである。ここで、デジタル放送としては、例えば、地上波デジタル放送、ＢＳ（放送衛星）デジタル放送、ＣＳ（通信衛星）デジタル放送がある。
【００１７】
チューナ２２は、アンテナ２１で受信された各種の放送信号の中から、ユーザが操作部３０を操作することにより選局したチャンネルの放送信号について、制御部２８から供給される制御信号に基づいて、多重化されたトランスポートストリーム信号ＴＳへのデジタル復調や誤り訂正、暗号化されたデータの復号化（適宜）等を行う。チューナ２２は、トランスポートストリーム信号ＴＳをデマルチプレクサ２３に供給する。
【００１８】
デマルチプレクサ２３は、制御部２８から供給される制御信号に基づいて、チューナ２２から供給されるトランスポートストリーム信号ＴＳについて、圧縮符号化されたデータＭＤ及び付加情報ＳＩ（Service Information）等の分離、抽出等を行う。デマルチプレクサ２３は、制御部２８から供給される制御信号に基づいて、データＭＤをデコーダ２４に供給するとともに、番組ごとの付加情報ＳＩをＥＰＧ生成部２７及び制御部２８にそれぞれ供給する。
【００１９】
ここで、付加情報ＳＩには、例えば、チャンネル名、番組名、放送開始日時、放送終了日時、放送時間、番組内容、番組のジャンル、番組のサブジャンル、番組内イベント（例えば、視聴者プレゼント）、視聴者年齢制限情報、検索キーワード情報、番組登場人物の名前などの番組情報が含まれている。これらの番組情報は、各放送局が任意で付加するものであり、必須項目が規定されている訳ではない。上記した付加情報ＳＩには、現在放送されているすべてのチャンネルのすべての番組に関する番組情報及び、これから放送される予定（現在以後に放送開始予定）のすべてのチャンネルのすべての番組に関する番組情報が含まれている。
【００２０】
デコーダ２４は、制御部２８から供給される制御信号に基づいて、デマルチプレクサ３から供給されるデータＭＤを映像データＶＤや音声データＡＤへデコードし、映像データＶＤを画像合成部２５に供給するとともに、音声データＡＤを音声出力部２６に供給すること等を行う。映像合成部２５は、ＥＰＧ生成部２７からＥＰＧテーブルＥＰＧＴが供給されない場合には、制御部２８から供給される制御信号に基づいて、デコーダ２４から供給される映像データＶＤをそのまま合成映像データＭＶとして上記した表示部２に供給する。一方、ＥＰＧ生成部２７からＥＰＧテーブルＥＰＧＴが供給された場合には、映像合成部２５は、制御部２８から供給される制御信号に基づいて、上記映像データＶＤと、上記ＥＰＧテーブルＥＰＧＴとを合成処理して、合成映像データＭＶを生成し、上記した表示部２に供給する。
【００２１】
ＥＰＧ生成部２７は、制御部２８から供給される制御信号に基づいて、デマルチプレクサ２３から供給される付加情報ＳＩをチャンネルごとに処理してＥＰＧを構築及び更新して内部に設けられているＥＰＧ記憶領域に記憶する。また、ＥＰＧ生成部２７は、ユーザが操作部３０を操作して表示部２を構成するディスプレイへのＥＰＧ画面の表示を指示することにより、制御部２８から上記ＥＰＧ画面の表示を指示する制御信号が供給された場合には、上記ＥＰＧ記憶領域に記憶されたＥＰＧに基づいて、上記ディスプレイにＥＰＧをＯＳＤ（On Screen Display）表示形式で表示するために必要なＥＰＧテーブルＥＰＧＴを生成して映像合成部２５に供給する。
【００２２】
制御部２８は、中央処理装置（ＣＰＵ）、デジタルシグナルプロセッサ（ＤＳＰ）、シーケンサ等を有し、記憶部３０に記憶されているＥＰＧ表示プログラムその他のプログラム等に基づいて、ＥＰＧ表示処理その他の処理を実行することにより、この映像音声出力装置１の各部を制御する。すなわち、例えば、記憶部３０からＥＰＧ表示プログラムが読み出されると、制御部２８に読み込まれ、制御部２８の動作を制御する。制御部２８は、ＥＰＧ表示プログラムが起動されると、ＥＰＧ表示プログラムの制御により、後述するＥＰＧ表示処理を実行するのである。ＥＰＧ表示処理は、ユーザが操作部３０を操作して表示部２を構成するディスプレイへのＥＰＧの表示を指示した場合に表示部２を構成するディスプレイにＥＰＧを表示させる処理である。
【００２３】
操作部３０は、リモコン、リモコン受信部及び本体操作部等からなる。リモコン及び本体操作部には、電源ボタン、チャンネルボタン、チャンネル増加ボタン、チャンネル減少ボタン、入力切換ボタン、音量増加ボタン、音量減少ボタン、ＥＰＧ表示ボタン、カーソルボタン及び決定ボタン等が設けられている。リモコン受信部は、リモコンからの赤外線パルスの制御信号を受信し、電気信号の制御信号に変換して制御部２８に供給する。本体操作部は、例えば、映像音声出力装置１本体の右下部に設けられている。本体操作部は、ユーザにより操作されたボタンに対応した制御信号を制御部２８に供給する。
【００２４】
記憶部３０は、ＲＡＭやＲＯＭ、あるいはフラッシュメモリ等の半導体メモリからなり、制御部２８が実行するＥＰＧ表示プログラムその他のプログラムや、ユーザが操作部３０を操作することにより入力したデータ等が記憶される。また、記憶部３０は、制御部２８がＥＰＧ表示プログラムその他のプログラムを実行する際に作業用として使用される。
【００２５】
次に、音声出力部２６の構成について図９を参照して説明する。音声出力部２６は、音声信号処理部４１と、増幅部４２と、分割部４３及び４４と、上記したスピーカユニット３ａ、３ｂ、４ａ及び４ｂとから構成されている。音声信号処理部４１は、デコーダ２２から供給される音声データＡＤを復号した後、アナログの左チャンネルの音声信号ＳＬ及び右チャンネルの音声信号ＳＲに変換して出力する。
【００２６】
増幅部４２は、音声信号処理部４１から供給される左チャンネルの音声信号ＳＬ及び右チャンネルの音声信号ＳＲをそれぞれ増幅して出力する。この場合、増幅部４２は、制御部２８から供給される制御信号ＳＣに基づいて、左チャンネルの音声信号ＳＬの増幅度と右チャンネルの音声信号ＳＲの増幅度を異ならせる。
【００２７】
分割部４３は、増幅部４２から供給される左チャンネルの音声信号ＳＬを左チャンネルの中高音域の音声信号ＳＬ１と左チャンネルの中低音域の音声信号ＳＬ２とに分割し、左チャンネルの中高音域の音声信号ＳＬ１を中高音域用スピーカ１１に供給するとともに、左チャンネルの中低音域の音声信号ＳＬ２を中低音域用スピーカ１２に供給する。同様に、分割部４４は、増幅部４２から供給される右チャンネルの音声信号ＳＬを右チャンネルの中高音域の音声信号ＳＲ１と右チャンネルの中低音域の音声信号ＳＲ２とに分割し、右チャンネルの中高音域の音声信号ＳＲ１を中高音域用スピーカ１１に供給するとともに、右チャンネルの中低音域の音声信号ＳＲ2を中低音域用スピーカ１２に供給する。
【００２８】
次に、上記構成の映像音声出力装置１の動作について説明する。まず、ユーザが操作部３０を構成するリモコンのチャンネルボタンを操作して、現在ニュース番組を放送しているチャンネルを選択したものとする。これにより、制御部２８は、操作部３０から供給される上記チャンネルボタンに対応した制御信号に基づいて、チューナ２２その他の各部に制御信号を供給する。
【００２９】
したがって、チューナ２２は、選局されたチャンネルの放送信号に対応したトランスポートストリーム信号ＴＳをデマルチプレクサ２３に供給する。デマルチプレクサ２３は、上記トランスポートストリーム信号ＴＳから番組ごとのデータＭＤ及び付加情報ＳＩ等の分離、抽出等を行い、データＭＤをデコーダ２４に供給するとともに、付加情報ＳＩをＥＰＧ生成部２７及び制御部２８にそれぞれ供給する。
【００３０】
デコーダ２４は、デマルチプレクサ３からのデータＭＤを映像データＶＤや音声データＡＤへデコードし、映像データＶＤを画像合成部２５に供給するとともに、音声データＡＤを音声出力部２６に供給する。これにより、映像合成部２５は、現在ＥＰＧ生成部２７からＥＰＧテーブルＥＰＧＴが供給されないので、デコーダ２４からの映像データＶＤをそのまま合成映像データＭＶとして上記表示部２に供給する。したがって、表示部２のディスプレイには、当該チャンネルのニュース番組が表示される。このニュース番組では、男性のキャスター１人が画面略中央において、現在まで発生したニュースを紹介しているものとする。
【００３１】
一方、音声出力部２６では、音声信号処理部４１は、デコーダ２２からの音声データＡＤを復号した後、アナログの左チャンネルの音声信号ＳＬ及び右チャンネルの音声信号ＳＲに変換して出力する。これにより、増幅部４２は、音声信号処理部４１からの左チャンネルの音声信号ＳＬ及び右チャンネルの音声信号ＳＲをそれぞれ増幅して出力する。
【００３２】
今の場合、表示部２のディスプレイには、男性のキャスター１人が画面略中央において、現在まで発生したニュースを紹介しているニュース番組が表示されている。表示部２のディスプレイに上記ニュース番組が表示されていることは、デマルチプレクサ２３から供給される付加情報ＳＩに含まれている番組内容、番組のジャンル、番組のサブジャンル、あるいは、番組登場人物の名前などの番組情報等により制御部２８が認識している。
【００３３】
そこで、制御部２８は、表示部２のディスプレイに上記男性のキャスターが表示されている画面略中央前方に、中高音域の音響の音像が定位するように、制御信号ＳＣを増幅部４２に供給する。つまり、制御部２８は、左チャンネルの音声信号ＳＬの増幅度と右チャンネルの音声信号ＳＲの増幅度とが略等しくするように制御信号ＳＣを出力する。これにより、増幅部４２は、制御部２８からの制御信号ＳＣに基づいて、左チャンネルの音声信号ＳＬの増幅度と右チャンネルの音声信号ＳＲの増幅度を略等しく設定する。
【００３４】
分割部４３は、増幅部４２からの左チャンネルの音声信号ＳＬを左チャンネルの中高音域の音声信号ＳＬ１と左チャンネルの中低音域の音声信号ＳＬ２とに分割し、左チャンネルの中高音域の音声信号ＳＬ１を中高音域用スピーカ１１に供給するとともに、左チャンネルの中低音域の音声信号ＳＬ２を中低音域用スピーカ１２に供給する。同様に、分割部４４は、増幅部４２からの右チャンネルの音声信号ＳＬを右チャンネルの中高音域の音声信号ＳＲ１と右チャンネルの中低音域の音声信号ＳＲ２とに分割し、右チャンネルの中高音域の音声信号ＳＲ１を中高音域用スピーカ１１に供給するとともに、右チャンネルの中低音域の音声信号ＳＲ2を中低音域用スピーカ１２に供給する。
【００３５】
したがって、図１０に矢印で示すように、スピーカユニット３ａ及び３ｂでは、中低音域用スピーカ１２から中低音域の音響ＡＬ２が前方に向けて放射されるとともに、中高音域用スピーカ１１から中高音域の音響ＡＬ１が表示部２の略中央に向けて放射される。同様に、図１０に矢印で示すように、スピーカユニット４ａ及び４ｂでは、中低音域用スピーカ１２から中低音域の音響ＡＲ２が前方に向けて放射されるとともに、中高音域用スピーカ１１から中高音域の音響ＡＲ１が表示部２の前面略中央に向けて放射される。この際、張出部５ｂａ及び５ｃａが設けられているので、各中低音域用スピーカ１２から放射された直後の中高音域の音響ＡＬ１及び中高音域の音響ＡＲ１は、視聴者側にほとんど放射されない。
【００３６】
この結果、図１０に矢印で示すように、中高音域の音響ＡＬ１と中高音域の音響ＡＲ１とが表示部２の前面略中央において衝突した後、略直角に曲がって、表示部２の前方、すなわち、視聴者側に伝達される。つまり、中高音域の音響は、この映像音声出力装置１の前方略中央に音像が定位する。このため、視聴者は、当該ニュース番組において、表示部２のディスプレイに表示されている上記男性のキャスターが発声する声が上記男性のキャスターの口から出ていると、違和感なく感じることができる。
【００３７】
映像音声出力装置１を上記のように構成し、上記のように動作させる理由について、以下に説明する。一般に、人の声の周波数成分は８０Ｈｚから数ｋＨｚ程度であると言われている。そして、アナウンサーやキャスターの場合は３ｋＨｚ〜４．５ｋＨｚのホルマントを持っていると言われている。ここで、ホルマントとは、声道の伝達関数の極と零により音声波の周波数スペクトル上に生じる数個の共振の山をいう。
【００３８】
このように、アナウンサーやキャスターのホルマントが３ｋＨｚ〜４．５ｋＨｚであるので、スピーカユニット３ａ、３ｂ、４ａ及び４ｂとして２ウェイ方式を採用し、分割周波数を約１．６ｋＨｚに設定した場合、アナウンサーやキャスターの声は、中高音域に含まれる。そこで、スピーカユニット３ａ、３ｂ、４ａ及び４ｂを、中低音域用スピーカ１２が前面側（視聴者側）に向くように取り付けるとともに、中高音域用スピーカ１１が表示部２のディスプレイ前面略中央に向き、かつ、対向するもの同士が対向するように取り付けているのである。さらに、付加情報ＳＩにより番組のジャンルがニュース番組であると認識した場合には、制御部２８がアナウンサーやキャスターの声の音像が表示部２のディスプレイの前面略中央に定位するように制御信号ＳＣを音声出力部２６に供給しているのである。
【００３９】
なお、声楽家や歌手のホルマントは２．４ｋＨｚ〜３．２ｋＨｚであると言われており、アナウンサーやキャスターのホルマントよりやや低いが、中高音域に含まれることには変わりない。そこで、番組のジャンルが歌謡コンサートや歌番組などである場合には、制御部２８は上記したニュース番組と同様の動作をしても良い。
【００４０】
このように、本発明の実施の形態１によれば、上記した第１の従来例のようにセンターチャンネル用のエキサイタ及びこのエキサイタが装備される振動板を設けなくても、アナウンサー、キャスター、声楽家や歌手等の声を表示部２のディスプレイの前面略中央に定位させることができる。このため、簡単且つ安価な構成で、大画面を有する映像音声出力装置１において、視聴者は、キャスター等が話す声の音像定位がはっきりしない、上記声が体の横や後から回り込む等の違和感がなく、臨場感が向上する。
【００４１】
実施の形態２．
上述の実施の形態１では、スピーカユニット３ａ、３ｂ、４ａ及び４ｂでは、いずれも、中低音域用スピーカ１２の音響放射方向（表示部２の前面に直交する方向）と、中高音域用スピーカ１１の音響放射方向（表示部２の前面に平行な方向）とは略直交している例を示したが、これに限定されない。要するに、スピーカユニット３ａ及び３ｂをそれぞれ構成する各中高音域用スピーカ１１から放射される中高音域の音響ＡＬ１と、スピーカユニット４ａ及び４ｂをそれぞれ構成する各中高音域用スピーカ１１から放射される中高音域の音響ＡＲ１とが表示部２の前面前方で衝突した後、視聴者側に向かえば良い。したがって、表示部２の前面に平行な方向を０度とし、表示部２の前面に直交する方向を９０度とした場合、中高音域用スピーカ１１の音響放射方向は、０度から約６０度の範囲で良く、さらには、−１０度程度、すなわち、一旦表示部２の前面で反射させた後、表示部２の前面前方で衝突させるようにしても良い。
【００４２】
つまり、中高音域用スピーカ１１を各スピーカユニット３ａ、３ｂ、４ａ及び４ｂを構成するキャビネット１３及び１４の側面に対して傾斜させて取り付ければ良い。また、キャビネット１３及び１４の形状も略立方体形状ではなく、中高音域用スピーカ１１の音響放射方向に合わせた形状としても良い。さらには、上記した中高音域用スピーカ１１の音響放射方向を変更可能とするために、中高音域用スピーカ１１をキャビネット１３及び１４に回動自在に取り付けても良い。この場合、視聴者が自己の好みに応じて、中高音域用スピーカ１１の音響放射方向を手動で又はリモコン等を操作することにより自動に変更可能に構成しても良い。
【００４３】
このように、本発明の実施の形態２によれば、上述の実施の形態１と同様に、センターチャンネル用のエキサイタ及びこのエキサイタが装備される振動板を設けなくても、アナウンサー、キャスター、声楽家や歌手等の声を表示部２のディスプレイの前面略中央に定位させることができる。このため、簡単且つ安価な構成で、大画面を有する映像音声出力装置１において、視聴者は、キャスター等が話す声の音像定位がはっきりしない、上記声が体の横や後から回り込む等の違和感がなく、臨場感が向上する。
【００４４】
実施の形態３．
上述の各実施の形態では、キャスターや声楽家等が１人である例を示したが、これに限定されない。例えば、ニュース番組において、複数のキャスターがいて交互に話す場合や、映画又は対談や討論などの番組において、複数の登場人物又は出演者が交互に掛け合うように話す場合などには、以下に示す手法が考えられる。すなわち、制御部２８は、話しているキャスターや登場人物等の画面上の位置に対応した箇所で中高音域の音響ＡＬ１と中高音域の音響ＡＲ１とが衝突した後に視聴者側に向かこととなるように、増幅部４２の左チャンネルの音声信号ＳＬの増幅度と右チャンネルの音声信号ＳＲの増幅度とを調整するための制御信号ＳＣを音声出力部２６に供給する。このように、本発明の実施の形態３によれば、視聴者は、キャスターや登場人物があたかも画面に映っている箇所で話しているように感じることができ、臨場感が向上する。
【００４５】
以上、本発明の実施の形態について図面を参照して詳述してきたが、具体的な構成はこれらの実施の形態に限られるものではなく、本発明の要旨を逸脱しない範囲の設計の変更等があっても本発明に含まれる。
例えば、上述の各実施の形態では、主収容部５ａ、突出部５ｂ及び５ｃとが一体的に形成されて構成された筐体５に表示部２、左チャンネルスピーカ部３及び右チャンネルスピーカ部４が収容されている例を示したが、これに限定されない。例えば、表示部２、左チャンネルスピーカ部３及び右チャンネルスピーカ部４は、それぞれ別個に形成された筐体に収容されていても良い。
【００４６】
また、上述の各実施の形態では、左チャンネルスピーカ部３及び右チャンネルスピーカ部４は、いずれも２ウェイ方式である例を示したが、これに限定されず、３ウェイ方式でも４ウェイ方式でも良い。いずれの場合も、人の声に対応した周波数領域の音響を放射する各スピーカから放射される音響を衝突させた後に視聴者に向かわせれば良い。
また、上述の各実施の形態では、映像音声出力装置１がテレビジョン受像機で構成されている例を示したが、これに限定されず、映像音声出力装置１は、チューナ等を備えていないスピーカ一体型表示装置で構成しても良い。
【００４７】
また、上述の各実施の形態では、制御部２８がデジタル放送の放送信号に含まれている付加情報ＳＩから番組のジャンル等を認識して制御信号ＳＣを出力する例を示したが、これに限定されず、ＤＶＤレコーダ等から供給される情報に基づいて、ソースのジャンル等を認識して制御信号ＳＣを出力するように構成しても良い。
また、上述の各実施の形態は、その目的及び構成等に特に矛盾や問題がない限り、互いの技術を流用することができる。
【図面の簡単な説明】
【００４８】
【図１】本発明の実施の形態１に係る映像音声出力装置の外観構成を示す斜視図である。
【図２】（ａ）は図１に示す映像音声出力装置の外観構成を示す平面図、（ｂ）は図１に示す映像音声出力装置の外観構成を示す正面図である。
【図３】図２（ａ）のＡの部分の拡大斜視図である。
【図４】図３の透視斜視図である。
【図５】図１に示す映像音声出力装置の構成を示す透視正面図である。
【図６】図１に示す映像音声出力装置を構成するスピーカユニットの概略構成を示す透視斜視図
【図７】図１に示す映像音声出力装置を構成するスピーカユニットの概略構成を示す透視斜視図である。
【図８】図１に示す映像音声出力装置がテレビジョン受信機で構成される場合の電気的構成を示すブロック図である。
【図９】図８に示す映像音声出力装置を構成する音声出力部の電気的構成を示すブロック図である。
【図１０】図１に示す映像音声出力装置の動作を示すための概念図である。
【符号の説明】
【００４９】
１…映像音声出力装置、２…表示部、３…左チャンネルスピーカ部、３ａ，３ｂ，４ａ，４ｂ…スピーカユニット、４…右チャンネルスピーカ部、５…筐体、５ａ…主収容部、５ｂ，５ｃ…突出部、５ｂａ，５ｃａ…張出部、１１…中高音域用スピーカ、１２…中低音域用スピーカ、１３，１４…キャビネット、１３ａ，１３ｂ，１４ａ，１４ｂ…側面、１３ａａ，１３ｂａ，１４ａａ，１４ｂａ…貫通孔、２１…アンテナ、２２…チューナ、２３…デマルチプレクサ（ＤＥＭＵＸ）、２４…デコーダ、２５…映像合成部、２６…音声出力部、２７…ＥＰＧ生成部、２８…制御部、２９…操作部、３０…記憶部、４１…音声信号処理部、４２…増幅部、４３，４４…分割部
【図１】
2009290442.tif 000003
【図２】
2009290442.tif 000004
【図３】
2009290442.tif 000005
【図４】
2009290442.tif 000006
【図５】
2009290442.tif 000007
【図６】
2009290442.tif 000008
【図７】
2009290442.tif 000009
【図８】
2009290442.tif 000010
【図９】
2009290442.tif 000011
【図１０】
2009290442.tif 000012